(57)【要約】      （修正有）【課題】特に使用者が簡単にＵＳＢプラグを引き出す或いは収納できることから、不注意での衝突や落下による破損を防ぐことができると共に、蓋部の設置が不要となるので、デザイン性にも優れる充放電装置を提供する。【解決手段】本体と、電源モジュール３０と、少なくとも1つのプラグ部材５０とを有し、その内、該電源モジュール３０は、該本体の内部に位置すると共に、放電回路を含む第一基板３１と、該第一基板３１の放電回路と電気接続されるバッテリ３２とを備え、該プラグ部材５０は、移動可能に該本体の内部に設置される第二基板と、該第一基板３１と該第二基板とを電気接続する軟性基板５３と、該第二基板の移動方向を制御するためのボタンと、該第二基板と電気接続されると共に、該第二基板の移動方向によって該本体に収容される或いは該本体から突出することができるＵＳＢプラグとを備える。【選択図】図２
0003164959.tif 000002
【実用新案登録請求の範囲】
【請求項１】
前面ケースと後面ケースとからなるケースを有すると共に、該前面ケースと後面ケースとの間に形成される収容空間と、該収容空間と連通するように、該ケースに形成される少なくとも１つの開口と、該収容空間と連通するように、該前面ケースに形成される少なくとも１つのボタン孔とを備える本体と、
放電回路を含む第一基板と、該第一基板の放電回路と電気接続される少なくとも１つのバッテリとを備えると共に、該収容空間に位置する電源モジュールと、
前記開口方向に移動可能に前記収容空間に収容される第二基板と、その移動方向に沿って該第二基板に形成される移動溝部と、該開口の近傍における、移動溝部の一端に形成される上部孔と、該移動溝部の上部孔と反対する他端に形成される下部孔と、該第二基板を開口方向に押圧する弾性部材と、前記第一基板の放電回路と第二基板とを電気接続する軟性基板と、制動部材と、ＵＳＢプラグとを備える少なくとも１つのプラグ部材とを有し、その内、該制動部材は、前記本体のボタン孔に位置する、押されても自動的に復位するボタンと、外径が該移動溝部よりも小さく、一端が該ボタンの底部と連結すると共に、位置きめ部が中段周面に凸設されるように、前記上部孔或いは下部孔と対応するように設置される連結軸とを備えると共に、該ＵＳＢプラグは、前記開口と対応するように該第二基板と電気接続されるものであり、該上部孔が連結軸と対応するように移動する場合、該ＵＳＢプラグは前記収容空間に収容され、また、該第二基板の下部孔が該連結軸の位置きめ部と対応する場合、該ＵＳＢプラグは開口から突出することを特徴とする収納可能なＵＳＢプラグを備える充放電装置。
【請求項２】
前記本体には、少なくとも１つの挿設孔が形成され、
前記電源モジュールの第一基板に充電回路が設置されると共に、該充電回路は前記バッテリと電気接続され、
また、少なくとも１つのＵＳＢソケットが該挿設孔と対応するように、前記第一基板に設置されることを特徴とする請求項１に記載の収納可能なＵＳＢプラグを備える充放電装置。
【請求項３】
前記本体における前面ケースにライト孔が形成され、
前記電源モジュールに、該前面ケースのライト孔と対応する表示灯が設置され、
該表示灯は、軟性基板を介して前記第一基板の充電回路及び放電回路と電気接続されることを特徴とする請求項２に記載の収納可能なＵＳＢプラグを備える充放電装置。
【請求項４】
前記本体の周囲に取り付けられると共に、前記開口と対応する箇所に貫通孔が形成される環状のフレームを備えることを特徴とする請求項２に記載の収納可能なＵＳＢプラグを備える充放電装置。
【請求項５】
前記ＵＳＢプラグは、Ａタイプ、ミニＡタイプ、Ｂタイプ、ミニＢ、マイクロＡ、マイクロＢの何れか１つのタイプであり、ＵＳＢソケットは、Ａタイプ、ミニＡタイプ、Ｂタイプ、ミニＢ、マイクロＡ、マイクロＢの何れか１つのタイプであることを特徴とする請求項２乃至４の何れか１項に記載の収納可能なＵＳＢプラグを備える充放電装置。
【請求項６】
前記後面ケースは、内面から延出する管部と、該管部に収容される復位部材とを備え、
前記制動部材における連結軸の端部及び位置きめ部が前記管部に挿設されると共に、該位置決め部が前記復位部材に当接され、
前記制動部材におけるボタンの内端が前記収容空間に位置すると共に、その内端周面に外径が前記ボタン孔の内径よりも大きい当接縁部が凸設されることを特徴とする請求項５に記載の収納可能なＵＳＢプラグを備える充放電装置。
【請求項７】
前記後面ケースの内壁に少なくとも２つの凹部が形成され、
前記前面ケースに少なくとも２つのタブが延設され、該タブが凹部に挿設されて該前面ケースと後面ケースとを組み合わせることがあるから、該タブの端部と凹部の近傍の側壁との間にガイドレールが形成され、
前記第二基板は、両側部がそれぞれ該ガイドレールに摺動可能に挿設されることを特徴とする請求項６に記載の収納可能なＵＳＢプラグを備える充放電装置。
【請求項８】
前記弾性部材は圧縮ばねであり、一端が前記第二基板と電気接続されると共に、他端が前記収容空間における適当な箇所に当接されることを特徴とする請求項７に記載の収納可能なＵＳＢプラグを備える充放電装置。
【請求項９】
前記復位部材は、圧縮ばね或いは弾性片体であることを特徴とする請求項６に記載の収納可能なＵＳＢプラグを備える充放電装置。
【請求項１０】
前記後面ケースは、後面に凹設されるバッテリ凹部と、該バッテリ凹部の開口をカバーするための蓋部とを備えることを特徴とする請求項６に記載の収納可能なＵＳＢプラグを備える充放電装置。
【考案の詳細な説明】
【技術分野】
【０００１】
本考案は、特に二次電池を備え、外部の電源と電気接続することにより該二次電池を充電することができ、また、電子装置と電気接続することにより、該電子装置への給電が可能な充放電装置に関するものである。
【背景技術】
【０００２】
一般に電気製品の稼働時には、必ず電力が消費されるが、その電力を供給する電源には一般的に電源コンセント及び電池の二種類がある。その内、電池は小型或いは携帯型の電子製品に使用され、一方、繰り返し使用できる二次電池は、比較的に安価であると共に、環境に優しいことから、多くの電子製品に採用されている。
【０００３】
既存の二次電池を備える電子装置は、その電池の電力を使い切ると、充電しなければ使用し続けることができないが、使用者が屋外にいる時には、電源コンセントが使えない場合が殆どであることから、非常に不便であったので、その後、各メーカーは携帯式の充放電装置を開発した。この充放電装置は、既存の二次電池と、ＵＳＢプラグ（Ｕｎｉｖｅｒｓａｌ  Ｓｅｒｉａｌ  Ｂｕｓ）と、ＵＳＢコンセントとを備えるものであり、使用時には、ＵＳＢのインターフェースによって、電気接続により外部の電源とＵＳＢコンセントとを連結すると共に、電子装置の二次電池を充電してエネルギーを蓄える。故に、使用者は屋外にいても電子装置の二次電池により電力を供給することができる。さらに、この電子装置は、ＵＳＢプラグを他の電子装置のＵＳＢコンセントに差し込むことにより他の電子装置を充電することもできる。
【考案の概要】
【考案が解決しようとする課題】
【０００４】
しかしながら、既存の充放電装置は、ＵＳＢプラグが充放電装置のケースから突出するように設置されていることから、不注意の衝突や落下により、プラグが変形したり、或いは異物がプラグに挿入したりしてプラグが破損し、使用できなくなることがよくあった。
【０００５】
また、上述したように、ＵＳＢプラグは、ケースから突出するように設置されていることから、デザイン性に優れないといった欠点があり、その突出部分をキャップなどでカバーすれば、その問題を解決できるが、使用時には、キャップを取り外し、また、使用しない時は、キャップを嵌めなければならないので、非常に不便であり、場合によっては、キャップが紛失してしまう虞もあった。
【課題を解決するための手段】
【０００６】
本考案に係る収納可能なＵＳＢプラグを備える充放電装置は、本体と、電源モジュールと、少なくとも１つのプラグ部材とを有し、その内、該本体は、前面ケースと後面ケースとからなるケースを有すると共に、該前面ケースと後面ケースとの間に形成される収容空間と、該収容空間と連通するように、該ケースに形成される少なくとも１つの開口と、該収容空間と連通するように、該前面ケースに形成される少なくとも1つのボタン孔とを備えるものであり、該電源モジュールは、該収容空間に位置すると共に、放電回路を含む第一基板と、該第一基板の放電回路と電気接続される少なくとも１つのバッテリとを備えるものである。
【０００７】
前記プラグ部材は、前記開口方向に移動可能に前記収容空間に収容される第二基板と、その移動方向に沿って該第二基板に形成される移動溝部と、前記開口の近傍における、該移動溝部の一端に形成される上部孔と、該移動溝部の上部孔と反対する他端に形成される下部孔と、該第二基板を開口方向に押圧する弾性部材と、前記第一基板の放電回路と第二基板とを電気接続する軟性基板と、制動部材と、ＵＳＢプラグとを備え、その内、該制動部材は、前記本体のボタン孔に位置する、押されても自動的に復位するボタンと、外径が該移動溝部よりも小さく、一端が該ボタンの底部と連結すると共に、位置きめ部が中段周面に凸設されるように、前記上部孔或いは下部孔と対応するように設置される連結軸とを備えると共に、該ＵＳＢプラグは、前記開口と対応するように該第二基板と電気接続されるものであり、該上部孔が連結軸と対応する場合、該ＵＳＢプラグは前記収容空間に収容され、また、該第二基板の下部孔が該連結軸の位置決め部と対応する場合、該ＵＳＢプラグは開口から突出する構成となっている。
【０００８】
前記本体には、少なくとも１つの挿設孔が形成され、
前記電源モジュールの第一基板に充電回路が設置されると共に、該充電回路は前記バッテリと電気接続され、
また、少なくとも１つのＵＳＢソケットが該挿設孔と対応するように、前記第一基板に設置される。
【０００９】
前記本体における前面ケースにはライト孔が形成され、
前記電源モジュールには、該前面ケースのライト孔と対応する表示灯が設置され、該表示灯は、軟性基板を介して前記第一基板の充電回路及び放電回路と電気接続される。
【００１０】
更に、本考案においては、前記本体の周囲に取り付けられると共に、前記開口と対応する箇所に貫通孔が形成される環状のフレームを備える。
【００１１】
尚、前記ＵＳＢプラグは、Ａタイプ、ミニＡタイプ、Ｂタイプ、ミニＢ、マイクロＡ、マイクロＢの何れか１つのタイプであり、ＵＳＢソケットは、Ａタイプ、ミニＡタイプ、Ｂタイプ、ミニＢ、マイクロＡ、マイクロＢの何れか１つのタイプであってもよい。
【００１２】
また、前記後面ケースは、内面から延出する管部と、該管部に収容される復位部材とを備え、
前記制動部材における連結軸の端部及び位置決め部が該管部に挿設されると共に、該位置決め部が前記復位部材に当接され、
前記制動部材におけるボタンの内端が前記収容空間に位置すると共に、その内端周面に外径が前記ボタン孔の内径よりも大きい当接縁部が凸設される。
【００１３】
前記後面ケースの内壁に少なくとも２つの凹部が形成され、前記前面ケースに少なくとも２つのタブが延設し、該タブが凹部に挿設されて該前面ケースと後面ケースとを組み合わせることがあるから、該タブの端部と凹部の近傍の側壁との間にガイドレールが形成され、
前記第二基板は、両側部がそれぞれ該ガイドレールに摺動可能に挿設される。
【００１４】
前記弾性部材は圧縮ばねであり、一端が前記第二基板と電気接続されると共に、他端が前記収容空間における適当な箇所に当接される。
【００１５】
尚、前記復位部材は、圧縮ばねや弾性片体であってもかまわない。
【００１６】
前記後面ケースは、後面に凹設されるバッテリ凹部と、該バッテリ凹部の開口をカバーするための蓋部とを備える構成を有する。
【考案の効果】
【００１７】
本考案に係る収納可能なＵＳＢプラグを備える充放電装置は上記の課題を解決するものであり、ＵＳＢプラグの引き出し或いは収納が可能であるので、不注意での衝突や落下による破損を防ぐことができると共に、従来のようなキャップの設置が不要であるので、デザイン性に優れる。
【図面の簡単な説明】
【００１８】
【図１】本考案に係る収納可能なＵＳＢプラグを備える充放電装置の斜視図である。
【図２】本考案に係る収納可能なＵＳＢプラグを備える充放電装置の前面視分解斜視図である。
【図３】本考案に係る収納可能なＵＳＢプラグを備える充放電装置の後方視分解斜視図である。
【図４】図３の部分分解図である。
【図５】本考案に係る収納可能なＵＳＢプラグを備える充放電装置におけるプラグ部材の移動状態を示す側面断面図である。
【図６】本考案に係る収納可能なＵＳＢプラグを備える充放電装置におけるプラグ部材の移動状態を示す側面断面図である。
【図７】本考案に係る収納可能なＵＳＢプラグを備える充放電装置におけるプラグ部材の移動状態を示す側面断面図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１乃至図３に示すように、本考案に係る収納可能なＵＳＢプラグを備える充放電装置は、本体１０と、フレーム２０と、電源モジュール３０と、少なくとも１つのプラグ部材とを有するものである。尚、本実施例では、タイプが異なる二種類のプラグ部材５０、６０を例として説明する。
【００２１】
その内、前記本体１０は、前面ケース１１と後面ケース１２とからなるケースを有すると共に、該前面ケース１１と後面ケース１２との間に形成される収容空間１０１と、該収容空間１０１と連通するように、該ケースに形成される開口１０３、１０４と、該収容空間１０１と連通するように、該前面ケース１１に形成されるボタン孔１０５及びライト孔１０６とを備えるものであり、さらに、該後面ケース１２は、後面に凹設されるバッテリ凹部１２１と、該バッテリ凹部１２１の開口をカバーするための蓋部１２２とを備える。
【００２２】
前記フレーム２０は、四辺形を呈し、前記本体１０の周囲に取り付けられるものであり、前記開口１０３、１０４と対応する箇所に貫通孔２０３、２０４が形成される。
【００２３】
前記電源モジュール３０は、前記収容空間１０１に位置し、放電回路を含む第一基板３１と、前記バッテリ凹部１２１に収容されると共に、それぞれが該第一基板３１の放電回路と電気接続される２つのバッテリ３２と、前記前面ケース１１のライト孔１０６と対応するように設置される表示灯３３とを備えるものであり、また、該表示灯３３は、軟性基板３３１或いは導線（図示せず）を介して該第一基板３１の放電回路と電気接続され、充放電装置の放電状態を表すものである。
【００２４】
図４に示すように、プラグ部材５０は、第二基板５１と、弾性部材５２と、軟性基板５３と、制動部材５４と、ＵＳＢプラグ５５とを有し、その内、該第二基板５１は、前記開口１０３方向に移動可能に前記収容空間１０１に収容されると共に、その移動方向に沿って該第二基板５１形成される移動溝部５１１と、該開口１０３の近傍における、移動溝部５１１の一端に形成される上部孔５１１１と、該移動溝部５１１の上部孔５１１１と反対する他端に形成される下部孔５１１２とを備えるものである。
【００２５】
本実施例において、第二基板５１が本体１０に対して開口１０３方向に移動する手段は、本体１０の前面ケース１１と後面ケース１２とを組み合わせてから該前面ケース１１と後面ケース１２との間に２つのガイドレール１０７が形成され、また、該ガイドレール１０７は、それぞれ開口１０３方向に互いに平行状態とし、該第二基板５１には、両側部がそれぞれ該ガイドレール１０７に摺動可能に挿設されると共に、その直線移動方向直線移動することができる。
【００２６】
さらに、本実施例におけるガイドレール１０７は、前記後面ケース１２の内壁に凹部１２５が形成される、前記前面ケース１１にタブ１１１が延設される構成を有すると共に、該タブ１１１が該凹部１２５に挿設されて前記前面ケース１１と後面ケース１２とを組み合わせると、該タブ１１１の端部と該凹部１２５の近傍における側壁との間にガイドレール１０７が形成されることがある。
【００２７】
前記弾性部材５２は、付勢力によって前記第二基板５１を開口１０３側に向かって押圧し、その一端が該第二基板５１と電気接続されると共に、他端が前記収容空間１０１における適当な箇所に当接される。尚、前記弾性部材５２は、圧縮ばねであることが好ましい。また、前記軟性基板５３は、前記第一基板３１の放電回路と第二基板５１とを電気接続するものである。
【００２８】
前記制動部材５４は、前記本体１０のボタン孔１０５に位置するボタン５４１と、外径が前記移動溝部５１１よりも小さい連結軸５４２とを有し、その内、該連結軸５４２は、一端が該ボタン５４１の底部と連結すると共に、位置きめ部５４２１が中段周面に凸設されると共に、前記上部孔５１１１或いは下部孔５１１２と対応するように設置される。
【００２９】
さらに、前記制動部材５４におけるボタン５４１は、押圧されても自動的に復位する機能を備え、また、該ボタン５４１は、押圧されても前記ボタン孔１０５から脱落しないように自動的に復位するものであり、また、前記後面ケース１２は、内面から延出する管部１２３と、該管部１２３に収容される復位部材１２４とを備える。尚、前記復位部材１２４は、圧縮ばねや弾性片体などであっても構わない。
【００３０】
図５に示すように、制動部材５４における連結軸５４２の端部及び位置決め部５４２１は管部１２３に挿設され、その内、位置決め部５４２１は復位部材１２４に当接され、ボタン５４１の内端が収容空間１０１に位置すると共に、その内端周面に当接縁部５４１１が凸設され、該当接縁部５４１１は、外径が前記ボタン孔１０５の内径よりも大きい。この構成においては、前記ボタン５４１が押圧されると、前記位置決め部５４２１が管部１２３の内部に移動すると共に、該復位部材１２４を押圧し、その後、ボタン５４１が解放されると、該復位部材１２４の付勢力によって制動部材５４が復位するが、この時、前記当接縁部５４１１の外径は、ボタン孔１０５の内径よりも大きいので、該制動部材５４がボタン孔１０５から脱落せずに後面ケース１２に留まる。
【００３１】
前記ＵＳＢプラグ５５は、前記開口１０３と対応するように前記第二基板５１と電気接続されるものであり、該第二基板５１は、上部孔５１１１が前記連結軸５４２と対応するように移動する場合、前記収容空間１０１に収容され（図５の如く）、また、該第二基板５１の下部孔５１１２が該連結軸５４２と対応するように、開口１０３に向かって移動すると、該ＵＳＢプラグ５５が開口１０３から突出して使用可能な状態となる（図７の如く）。尚、本実施例におけるＵＳＢプラグ５５は、Ａタイプのプラグであっても構わない。
【００３２】
前記プラグ部材６０の構造は、その殆どが前記プラグ部材５０と同一であるが、該プラグ部材６０では、第二基板６１が前記開口１０４側に向かって移動することから、弾性部材６２の付勢力によって該第二基板６１が開口１０４に向かって移動するので、制動部材６４のボタン６４１を前記本体１０のボタン孔１０５と対応するように設置する必要がある。尚、前記第二基板６１に設置されるＵＳＢプラグ６５及び前記第二基板５１に設置されるＵＳＢプラグ５５はそれぞれ、Ａタイプ及びミニＡタイプのプラグであってもよく、Ｂタイプ、ミニＢ、マイクロＡ、マイクロＢなどの他のタイプのプラグであってもよい。
【００３３】
さらに、本考案に係る充放電装置における本体１０には、少なくとも１つの挿設孔１０２が形成され、前記フレーム２０における、該挿設孔１０２と対応する箇所に貫通孔２０２が形成され、前記電源モジュール３０における第一基板３１に充電回路が設置されると共に、２つのバッテリ３２及び表示灯３３が該充電回路と電気接続され、ＵＳＢソケット４０は、該挿設孔１０２と対応するように、前記第一基板３１に設置される。尚、本考案における充放装置は、バッテリ３２に対して充電或いは放電することができると共に、表示灯３３は充電状態の示すことができ、また、該ＵＳＢソケット４０は、Ａタイプ、ミニＡタイプ、Ｂタイプ、ミニＢ、マイクロＡ、マイクロＢなどのどのタイプであっても構わない。
【００３４】
本考案に係る充放電装置において、バッテリ３２により電子装置を充電する時は、該バッテリ３２を一次電池或いは二次電池の何れにしてもよく、本考案の構成によれば、制動部材５４、６４が押圧されると、ＵＳＢプラグ５５、６５が収容空間１０１から飛び出すので、電子装置に挿入すれば充電することができる。また、バッテリ３２により充電する時は、ＵＳＢ接続線によって外部電源とＵＳＢソケット４０とを電気接続すれば、バッテリ３２を充電することができる。
【００３５】
以下、図５乃至図７を参照してＵＳＢプラグ５５の操作方法を説明する。ＵＳＢプラグ５５を収納する時は、第二基板５１の上部孔５１１１を連結軸５４２の位置決め部５４２１と対応するように設置すれば、第二基板５１が位置決め部５４２１に固定されるので、ＵＳＢプラグ５５を本体１０の収容空間１０１に収容することができる。また、ＵＳＢプラグ５５を使用する時は、制動部材５４のボタン５４１を押圧すると、連結軸５４２の位置決め部５４２１が第二基板５１の上部孔５１１１から外れ、該第二基板５１が弾性部材５２の付勢力によって開口１０３に向かって押し上がり、ＵＳＢプラグ５５が開口１０３から外部に突出する。この時、ボタン５４１が解放され、制動部材５４の位置決め部５４２１が復位部材１２４の付勢力によって、第二基板５１の下部孔５１１２と対応するように復位することから、該第二基板５１が収容空間１０１側へ脱落しないように固定されるので、使用可能な状態となる。
【００３６】
さらに、前記ＵＳＢプラグ５５を収納する時は、前記ボタン５４１を押圧しながらＵＳＢプラグ５５を収容空間１０１に向かって押し込めば、該ＵＳＢプラグ５５が本体１０の収容空間１０１に移動するので、該収容空間１０１に収納することができる。
【００３７】
本考案に係る充放電装置は、タイプが異なる様々な電子装置に対応させるために、ＵＳＢプラグ５５、６５やＵＳＢソケット４０を如何なるタイプにしても構わない。
【産業上の利用可能性】
【００３８】
本考案は上記の構成を有することから、使用者が簡単にＵＳＢプラグを引き出す或いは収納できるので、不注意での衝突や落下による破損を防ぐことができ、更に、蓋部の設置が不要となるので、デザイン性にも優れるものである。
【符号の説明】
【００３９】
１０                    本体
１０１                  収容空間
１０２                  挿設孔
１０３、１０４          開口
１０５                  ボタン孔
１０６                  ライト孔
１０７                  ガイドレール
１１                    前面ケース
１１１                  タブ
１２                    後面ケース
１２１                  バッテリ凹部
１２２                  蓋部
１２３                  管部
１２４                  復位部材
１２５                  凹部
２０                    フレーム
２０２、２０３、２０４  貫通孔
３０                    電源モジュール
３１                    第一基板
３２                    バッテリ
３３                    表示灯
３３１                  軟性基板
４０                    ＵＳＢソケット
５０、６０              プラグ部材
５１、６１              第二基板
５１１、６１１          移動溝部
５１１１、６１１１      上部孔
５１１２、６１１２      下部孔
５２、６２              弾性部材
５３、６３              軟性基板
５４、６４              制動部材
５４１、６４１          ボタン
５４１１、６４１１      当接縁部
５４２、６４２          連結軸
５４２１、６４２１      位置決め部
５５、６５              ＵＳＢプラグ
【図１】
0003164959.tif 000003
【図２】
0003164959.tif 000004
【図３】
0003164959.tif 000005
【図４】
0003164959.tif 000006
【図５】
0003164959.tif 000007
【図６】
0003164959.tif 000008
【図７】
0003164959.tif 000009